(57)【特許請求の範囲】
【請求項１】
引手によって開閉する引戸に取り付けられる引戸用指挟み防止具において、ストッパーを、引手又はケースの下部に軸によって摺動可能かつ回動可能に取り付けて、引手又はケース表面から突出した使用状態と略垂直状態となる収納状態に変更可能になるように構成し、ストッパーは、収納状態における上部に操作部を設けると共に、下部に軸が挿通される軸孔を設けて成り、軸孔は、下部の略円形状の回動孔と上部の非円形状の係止孔を連続して設けた形状と成すと共に、軸は断面非円形状と成し、ストッパーが収納状態にある時、軸が軸孔の係止孔に係合して、ストッパーは回動不能であると共に、ストッパーを収納状態から上方に摺動した時、軸が係止孔から外れてストッパーは回動可能となるように構成し、ストッパーは、操作部により収納状態から上方に摺動して前方に回動することによって、その基部を引手又はケースの開口部の下部に当接させて、引手又はケース表面から突出した使用状態に変更すると共に、操作部により使用状態から後方に回動して下方に摺動することによって、略垂直状態の収納状態に変更することができるように構成したことを特徴とする引戸用指挟み防止具。
【発明の詳細な説明】
【技術分野】
【０００１】
本発明は、引手によって開閉する引戸に取り付けられ、引手で引戸を開く際に手指が、隣り合って重なる壁又は引戸との間に挟まれるのを防止することができる引戸用指挟み防止具に関するものである。
【背景技術】
【０００２】
従来より、引戸用指挟み防止具として特許４２４６１３７号発明のように、プロテクタ３０（本発明ではストッパーに相当）が引手に単に回動可能に取り付けられているものは提案されている。この従来例においては、使用状態にするには、プロテクタ本体３０Ｂの枢支部４２より下部（突出する側と反対側の部分）にある指当て３０ｆ１に指を当てながら押し込んで揺動して水平状態にし、収納状態にするには、プロテクタ本体３０Ｂの下面を押し上げて垂直状態にするものである。
【先行技術文献】
【特許文献】
【０００３】
【特許文献１】特許４２４６１３７号公報
【発明の概要】
【発明が解決しようとする課題】
【０００４】
上記従来例においては、図４に示されるように、プロテクタ本体３０Ｂは、小凹部４４Ｒが引き手１０の小突起４４Ｐに係合して垂直状態（収納状態）に保持されるようになっているが、係合する力を大きくすると、プロテクタ本体３０Ｂを回転して垂直状態（収納状態）と水平状態（使用状態）に移行操作する時に大きな力を必要とし、操作性が悪くなり、逆に係合する力を小さくすると、プロテクタ本体３０Ｂが垂直状態（収納状態）で、引き戸５０を勢いよく開放した際に、その衝撃で垂直状態（収納状態）に保持されたプロテクタ本体３０Ｂが前方に回転してしまうことがあり、そうなるとプロテクタ本体３０Ｂの先端が隣り合って重なる壁又は引戸の表面に当接して、その状態で引き戸５０を閉鎖しようとした場合に、プロテクタ本体３０Ｂが壊れたり、隣り合って重なる壁又は引戸を傷つけたりしてしまうという問題がある。また、プロテクタ本体３０Ｂを何度も回転すれば、当然係合部分は摩滅し、係合する力は小さくなってしまうという問題もある。
【０００５】
さらに、図５に示されるように、プロテクタ本体３０Ｂの枢支部４２の突出する側と反対側の部分が、収納状態を使用状態にする操作部となる指当て３０ｆ１になっており、また引き手１０のストッパ４４Ｓに当接して、プロテクタ本体３０Ｂが前方に突出して使用状態となる構造なので、プロテクタ本体３０Ｂは、使用状態において引き手１０の後方部分が突出することになり引き手１０の厚さが厚くなってしまい、薄い引戸には取付ができない場合があるという問題がある。
【０００６】
本発明は、操作性を損なうことなく、引き戸を勢いよく開放してもストッパー（従来例のプロテクタ本体３０Ｂに相当）が、収納状態を確実に維持することができ、なおかつ厚さを薄くすることが可能である引戸用指挟み防止具を提供することを課題とするものである。
【課題を解決するための手段】
【０００７】
本発明は、上記の課題を解決するために、引手によって開閉する引戸に取り付けられる引戸用指挟み防止具において、ストッパーを、引手又はケースの下部に軸によって摺動可能かつ回動可能に取り付けて、引手又はケース表面から突出した使用状態と略垂直状態となる収納状態に変更可能になるように構成し、ストッパーは、収納状態における上部に操作部を設けると共に、下部に軸が挿通される軸孔を設けて成り、軸孔は、下部の略円形状の回動孔と上部の非円形状の係止孔を連続して設けた形状と成すと共に、軸は断面非円形状と成し、ストッパーが収納状態にある時、軸が軸孔の係止孔に係合して、ストッパーは回動不能であると共に、ストッパーを収納状態から上方に摺動した時、軸が係止孔から外れてストッパーは回動可能となるように構成し、ストッパーは、操作部により収納状態から上方に摺動して前方に回動することによって、その基部を引手又はケースの開口部の下部に当接させて、引手又はケース表面から突出した使用状態に変更すると共に、操作部により使用状態から後方に回動して下方に摺動することによって、略垂直状態の収納状態に変更することができるように構成したことを特徴とする引戸用指挟み防止具である。
【発明の効果】
【０００８】
本発明は、ストッパーを収納状態から上方に摺動してから前方に回動するという操作によって、引手又はケース表面から突出した使用状態に変更することができるように構成したので、操作性を損なうことなく、引戸を勢いよく開放してもストッパーが、収納状態を確実に維持することができ、容易に収納状態から回動することがなく、ストッパーが壊れたり、隣り合って重なる壁又は引戸を傷つけたりしてしまうことがないという効果がある。
【０００９】
また、ストッパーを、収納状態における上部に設けた操作部によって収納状態から上方に摺動して前方に回動して使用状態にすることができるので、ストッパーの軸孔より後ろの部分を後方に大きく突出させる必要がないので、全体の厚さを薄くすることが可能で、薄い引戸にも取付ができるという効果もある。
【図面の簡単な説明】
【００１０】
【図１】引戸に、本発明を取り付けた状態の正面図。
【図２】図１の要部拡大図。
【図３】図２のＡ−Ａ線断面図。
【図４】本発明の分解斜視図。
【図５】ストッパーの拡大図。
【図６】本発明の収納状態を示す要部の拡大断面図。
【図７】本発明のストッパーを上方へ摺動した状態を示す要部の拡大断面図。
【図８】本発明の使用状態を示す要部の拡大断面図。
【実施例１】
【００１１】
ストッパー７は、引手１に軸８で摺動可能かつ回動可能に取り付けられており、引手１は、引手本体２と蓋板３とから成り、ねじ１２・１３で一体化されるようになっている。
【００１２】
引手本体２は、縦長方形状の表面板１６の開口部裏面周縁に沿って立上部１７を立設してある。立上部１７には、下部側板に相対向するするように略小判形貫通孔の軸受孔１８・１８を設けてある。
【００１３】
ストッパー７は、垂直状態の収納状態において縦長で、下部に左右方向に貫通する軸孔１９を設け、上端部の前面側に突出した操作部２２を設けてある。軸孔１９は、下部の円形状の回動孔２０と上部の略小判形状の係止孔２１を連続して設けた形状になっている。
【００１４】
軸８は、断面略小判形状の棒状部２５の一端部に円形の鍔部２６を設けてあり、棒状部２５の一部が軸孔１９の係止孔２１に係合している状態においては、ストッパー７は回動不能で垂直状態（図３及び図６参照）になっており、棒状部２５の一部が軸孔１９の係止孔２１から外れて回動孔２０に軸８の棒状部２５の全部が位置している状態においては、ストッパー７は回動可能な状態（図７及び図８参照）である。
【００１５】
そして、ストッパー７を引手１の下部に挿入し、軸８を、鍔部２６の反対側から一方の軸受孔１８、軸孔１９及び他方の軸受孔１８に挿通して端部をＥリング９で止める。これによりストッパー７は、引手１に摺動可能かつ回動可能に取り付けられる。
【００１６】
ストッパー７が取り付けられた引手１の反対側の引手４は、引手１と同様に、引手本体５と蓋板６とから成り、ねじ１４・１５で一体化されるようになっており、引手本体５には、上下部に取付脚２３・２４を設けてあり、ストッパー７は取り付けられていない。引戸Ｔを挟んで表裏面から、ストッパー７が取り付けられた引手１と引手４を配設し、引手１側から取付ねじ１０・１１を引手４の取付脚２３・２４に螺合し取り付ける。
【００１７】
動作について説明する。
ストッパー７が、垂直状態で軸８の棒状部２５の一部が軸孔１９の係止孔２１に係合している状態において（図３及び図６参照）は、引戸Ｔは完全に開くことができ、隣り合う壁Ｋに完全に重なるようになるが、大きな荷物を運ぶ時等、開口を広くしたい時に便利である。
【００１８】
この状態から操作部２２でストッパー７を上方へ摺動すると、軸８の棒状部２５が軸孔１９の係止孔２１から外れて回動孔２０にその全部が位置し、前方へ回動可能な状態（図７参照）となる。さらにこの状態からストッパー７を前方へ回動すると、ストッパー７の基部が引手１の開口下部に当接して、ストッパー７がやや斜め下向き状態になり、引手１から突出している状態（図８参照）となる。この状態が通常の使用状態であり、引戸Ｔを開くと、ストッパー７の突出した側面が隣り合う壁Ｋの側面に当接し、引戸Ｔは完全に開くことがなく隣り合う壁Ｋに重ならないので引手１にかけた手指を挟むことがない。
【００１９】
使用状態から、ストッパー７を後方へ回動し下方に摺動すると、ストッパー７は、垂直状態で軸８の棒状部２５の一部が軸孔１９の係止孔２１に係合している収納状態（図３及び図６参照）となる。
【００２０】
また、本発明の引戸用指挟み防止具は、本実施例のように引手１にストッパー７を取り付けて引手１と兼用するのではなく、引手１とは別に引手１と同様な箱状体のケースにストッパー７を取り付けるようにしてもよい。
【符号の説明】
【００２１】
１  引手
７  ストッパー
８  軸
１９  軸孔
２０  回動孔
２１  係止孔
Ｔ  引戸
【図１】
0005441558.tif 000002
【図２】
0005441558.tif 000003
【図３】
0005441558.tif 000004
【図４】
0005441558.tif 000005
【図５】
0005441558.tif 000006
【図６】
0005441558.tif 000007
【図７】
0005441558.tif 000008
【図８】
0005441558.tif 000009